(57)【要約】【課題】表示装置に対して供給される画面データを作成するための作画プログラムにおいて、表示画面のドット数がどのように変わっても、１つの作画プログラムで対応する。【解決手段】表示画面の１文字あたりのドット数を設定するための条件設定機能１１、設定されたドット数のもとで外字、イメージを作成する外字／イメージ作成機能１２，１３、並びに文字、及び作成された外字、イメージを用いて、画面データを編集する画面データ編集機能１４をコンピュータに実行させる。【効果】異なるドット数の表示画面を備えた表示装置が複数あっても、用意する作画プログラムは１つでよく、データの一括管理が可能となる。【選択図】　　　　図２
2004127124.tif 000002
【特許請求の範囲】
【請求項１】
表示装置に対して提供される画面データを作成するための作画プログラムであって、次の（ａ）〜（ｃ）の各機能をコンピュータに実行させることを特徴とする表示装置用の作画プログラム。
（ａ）表示する画面の１文字あたりのドット数を設定するための条件設定機能、
（ｂ）設定されたドット数のもとで外字、イメージを作成する外字／イメージ作成機能、
（ｃ）文字、及び作成された外字、イメージを用いて、画面データを編集する画面データ編集機能。
【請求項２】
画面データ編集機能により編集された画面データは、外字、イメージのマッピングデータと、文字のコードデータとで構成されていることを特徴とする請求項１記載の表示装置用の作画プログラム。
【請求項３】
前記請求項１又は請求項２記載の表示装置用の作画プログラムを記憶した記憶媒体。
【発明の詳細な説明】
【０００１】
【発明の属する技術分野】
本発明は、表示装置に対して提供される画面データを作成するための作画プログラム及びその記憶媒体に関するものである。
【０００２】
【従来の技術】
文字、外字、イメージをＬＥＤ表示画面（以下「表示画面」という）に表示させる表示装置が知られている。
表示画面は、「モジュール」という構成単位が複数個組み合わさって表示面を構成している。１モジュールに、原則として１つの文字、外字、イメージが表示される。
【０００３】
１モジュールを構成する画素（ドット）数を、例えば１６×１６ドットという具合に縦×横のドット数で表している。
また表示面のモジュール数を、「ｎ段ｍ文字」という具合に、縦方向にｎ段、横方向にｍ個のモジュール数で表している。
【０００４】
【特許文献１】特開平６−９５５９８号公報
【特許文献２】特開平７−１３４５６２号公報
【０００５】
【発明が解決しようとする課題】
従来の作画プログラムでは、段数、文字数は、表示したい内容に応じて、自由に設定できる。
しかし、モジュール上のドット数は固定されている。表示画面のドット数が違えば、表示態様なども異なってくるため、作画プログラムもそのドット数をサポートしているものをインストールする必要がある。
【０００６】
その結果、採用するドット数に対応する作画プログラムを、ドット数の異なる表示画面の数だけ用意する必要がある。このため、作画プログラムを複数開発しなければならず、開発コストや開発期間がかかる。また、作画プログラムの管理も複雑になる。
そこで、本発明は、モジュール上のドット数がどのように変わっても、１つの作画プログラムで対応することができる作画プログラムを実現することを目的とする。
【０００７】
【課題を解決するための手段】
本発明の表示装置用の作画プログラムは、表示する画面の１文字あたりのドット数を設定するための条件設定機能、設定されたドット数のもとで外字、イメージを作成する外字／イメージ作成機能、並びに文字及び作成された外字、イメージを用いて、画面データを編集する画面データ編集機能をコンピュータに実行させることを特徴とする（請求項１）。
【０００８】
この作画プログラムをパーソナルコンピュータなどにインストールして作画をする場合、まず表示する画面の１文字あたりのドット数を設定する。そして、そのドット数の制約の下で外字、イメージを作成する。この作成された外字、イメージと、文字とを用いて表示装置の表示画面に表示すべき画面データを作成する。
このようにして、表示装置の表示画面のドット数に応じた外字、イメージを作成することができるので、表示画面のドット数がどのように変わっても、１つの作画プログラムで対応することができる。
【０００９】
前記画面データ編集機能により編集された画面データは、文字、外字、イメージからなるが、文字は、作画プログラムをインストールしたパーソナルコンピュータ等に搭載されているフォントを使うこととしてコードデータで特定し、外字、イメージは、個別に作るので、マッピングデータの形で出力することが好ましい（請求項２）。これにより、画面データのサイズを小さくできるので、送受信の負荷を減らすことができる。
【００１０】
また、本発明は、特許請求の範囲には記載していないが、請求項１又は請求項２記載の表示装置用の作画プログラムで作成された画面データを表示する表示装置や、請求項１又は請求項２記載の表示装置用の作画プログラムを実行して画面データを作成するコンピュータにも関係する。
【００１１】
【発明の実施の形態】
以下、本発明の実施の形態を、添付図面を参照しながら詳細に説明する。
まず用語の定義をする。
「文字データ」：　かな、漢字、記号、英数字などからなるデータ。文字コードで表される。
「外字データ」：　文字データ以外の自由に作成された絵やアイコンなどのデータ。所定ドット数のマッピングデータの形で保存される。外字データは番号で特定される。
「イメージデータ」：　自由に作成された絵などのデータで外字データ以外のもの。所定ドット数のマッピングデータの形で保存される。イメージデータは番号で特定される。
「画面データ」：　文字データ、外字データ、イメージデータをまとめて画面データという。
【００１２】
図１は、作画プログラムを使って作成した画面データを表示装置に送って、表示装置において表示させる作画システムの全体構成を示すブロック図である。
作画プログラム１は、ＣＤ−ＲＯＭなどの記憶媒体に記憶されていて、パーソナルコンピュータ２にインストールされ、パーソナルコンピュータ２において、この作画プログラム１を用いて画面データが作成される。作成された画面データは、シリアルケーブル３を通して表示装置４まで送信される。
【００１３】
表示装置４は、この画面データに基づいて、自ら記憶しているフォントデータ等を参照して表示画面を作成し、表示部２３に表示させる。
図２は、作画プログラム１の機能を説明するためのブロック図である。
図２において、作画プログラム１の条件設定部１１は、モジュールサイズ（１モジュールあたりのドット数）などを設定する部分である。外字作成部１２、イメージ作成部１３は、条件設定部１１で設定されたモジュールサイズに合った大きさの、外字データ、イメージデータを作成しパーソナルコンピュータ内のメモリ１６に保存する。画面編集部１４は、パーソナルコンピュータ内蔵の文字フォントを使用して文字データを作成するとともに、外字作成部１２、イメージ作成部１３でそれぞれ作成された外字データ、イメージデータを使用して、画面データを作成する。この画面データは、パーソナルコンピュータ内のメモリ１６に保存されるとともに、送信部１５を通して、表示装置４に送信される。
【００１４】
図３は、作画プログラム１の実行手順を説明するためのフローチャートである。
まず新規プロジェクトを作成する（ステップＳ１）。以後の手順において、このプロジェクトで作成したフォルダに画面データが保存される。ここで「プロジェクト」とは、表示装置を動作させるために必要なデータの集合体であり、段数などの条件データ（環境設定）や画面データなどが収録されている。
【００１５】
次に、表示装置４で表示可能な段数、文字数、モジュールサイズを設定する（ステップＳ２）。例えば表示装置４が２段６文字の表示が可能であれば、図４に示すように、段数を２、文字数を６と設定する。また、表示装置４が２４×２４ドットの表示に対応していれば、１モジュールあたりのドット構成を、縦２４、横２４と設定する。なお表示装置４において縦横同数でない、例えば縦３２、横２４という場合、それに応じた設定もできる。
【００１６】
そして、前記設定されたモジュールサイズに従って、外字、イメージを作成する（ステップＳ３）。作成された外字データの例を図５に示す。外字データは、このようにマッピングデータとして作成され、メモリ１６に保存される。縦横ドット数は、ステップＳ２で設定されたドット数となる（図５では縦２４、横２４の場合を示している）。
次に、画面データを編集する（ステップＳ４）。画面データは、文字データと、それに組み合わされる外字データ、イメージデータの集合であり、ステップＳ２で定めた条件の下、パーソナルコンピュータ内のメモリ上にある各データの中から選出して作成する。画面データは、当該画面データを構成する文字の文字コードデータ、外字のマッピングデータに対応した番号、イメージのマッピングデータに対応した番号の形で当該パーソナルコンピュータ内のメモリ１６に保存される。
【００１７】
そしてこの画面データは、表示装置４に送信される（ステップＳ５）（図１も参照）。
図６は、送信される画面データの構成図である。画面データは、
（１）１つ１つの画面が、表示装置内の画面データ保存部２２においてどの番　　地からどの番地まで格納されているかどうかを示す「画面インデックス」　　、
（２）画面を構成する文字のコード、外字の番号、イメージの番号からなる「　　画面データ」、
（３）イメージの番号に対応したマッピングデータからなる「イメージデータ」、及び
（４）外字の番号に対応したマッピングデータからなる「外字データ」
で構成される。
【００１８】
図６では、文字「あ」「い」「う」のコード８２Ａ０，８２Ａ２，８２Ａ４、外字「右向き矢印」の番号０００１、イメージ「人の顔」の番号０１８１が例示されている。
次に表示装置４の表示機能を、図１を用いて説明する。
表示装置４は、図１に示すように、フォントデータ記憶部２１、画面データ保存部２２を備えるとともに、ＬＥＤ表示画面を有する表示部２３を備えている。表示部２３の表示ドット数は、所定ドット数、例えば２４×２４ドットに設定されている。フォントデータ記憶部２１は、表示部２３に表示させる、かな、漢字、記号、英数字などのフォントデータをマッピングデータの形であらかじめ記憶している。
【００１９】
画面データ保存部２２は、パーソナルコンピュータ２から送信されてきた画面データを、保存している。
ある特定の画面を表示装置４に表示させたい場合、利用者は、パーソナルコンピュータ２から表示装置４に対して、その表示すべき画面を特定する情報を送る。
表示装置４は、画面データ保存部２２を検索して、その画面の画面データを取得する。画面データに文字データが入っている場合、その文字の文字コードを手がかりにして、フォントデータ記憶部２１からその文字のマッピングデータを取得する。
【００２０】
画面データに外字データ、イメージデータが入っている場合、画面データ保存部２２からその外字データ、イメージのマッピングデータを取得する。
これらのマッピングデータは、表示部２３において表示される。
以上で、本発明の実施の形態を説明したが、本発明の実施は、前記の形態に限定されるものではない。例えば、作画プログラムに基づいて画面データを作成するのは、パーソナルコンピュータでなく、表示装置４にコンピュータを設置して、ここで作成してもよい。また、送信される画面データの例として、外字、イメージのマッピングデータと、文字のコードデータとで複合構成されたデータを用いていたが、文字もすべてマッピングデータの形にして送信してもよい。その他、本発明の範囲内で種々の変更を施すことが可能である。
【００２１】
【発明の効果】
以上のように本発明は、（１）異なるドット数の表示画面を備えた表示装置が複数あっても、用意する作画プログラムは１つでよく、プログラムやデータの一括管理が可能となる、（２）利用者もプログラムの使い勝手が変わらない、（３）新たに別のドット数の表示画面を備えた表示装置が現われても、新たにソフトウェアを開発する必要がない、という優れた効果を奏する。
【図面の簡単な説明】
【図１】作画プログラムを使って作成した画面データを表示装置に送って、表示装置において表示させる作画システムの全体構成を示すブロック図である。
【図２】作画プログラム１の実行機能を示すブロック図である。
【図３】作画プログラム１の実行手順を説明するためのフローチャートである。
【図４】表示装置で表示可能な段数、文字数、モジュールサイズを設定するための、パーソナルコンピュータ上の画面図である。
【図５】マッピングデータとして作成された外字の例を示す図である。
【図６】表示装置に送信される画面データの構成図である。
【符号の説明】
１　作画プログラム
２　パーソナルコンピュータ
３　シリアルケーブル
４　表示装置
１１　条件設定部
１２　外字作成部
１３　イメージ作成部
１４　画面編集部
１５　送信部
１６　メモリ
２１　フォントデータ記憶部
２２　画面データ保存部
２３　表示部
【図１】
2004127124.tif 000003
【図２】
2004127124.tif 000004
【図３】
2004127124.tif 000005
【図４】
2004127124.tif 000006
【図５】
2004127124.tif 000007
【図６】
2004127124.tif 000008